(57)【特許請求の範囲】
【請求項１】
画像処理を実行する各ユニットへの電源供給を遮断するオフモードを備える画像処理装置であって、
オフモードへの移行のためにユーザーにより操作されるオフモード移行指示部と、
前記オフモード移行指示部が操作された際に、オフモードへの移行を実施するか否かをユーザーに問い合わせるとともに、オフモードへの移行を実施するか否かの回答が入力されることなく、予め指定された時間が経過した場合に選択されるデフォルト回答が設定される問い合わせ部と、
画像処理装置の少なくとも１つの機能が実施可能な状態にある待機モードと、前記待機モードにおいて画像処理装置への指示が入力されない状態が一定時間継続したときに切り替えられ、画像処理装置の一部のみに電力を供給することで前記待機モードよりも消費電力量を少くした電力供給モードであって、当該電力供給モードから他の電力供給モードへの移行条件を満たすか否を検知可能な状態にある低消費電力モードと、前記オフモードとを含む電力供給モードを切り替え可能に構成されるとともに、ユーザーから前記問い合わせ部への回答に基づいて、電力供給モードをオフモードに切り替える電力制御部と、
画像処理装置に特定のオプションが装着されている場合、前記電力制御部によるオフモードの移行を禁止する移行禁止部と、
を備え、
ユーザーから前記問い合わせ部に、オフモードへの移行を実施するか否かの回答が入力されることなく、予め指定された時間が経過した場合、
前記デフォルト回答が「オフモードに移行する」であり、前記移行禁止部がオフモードへの移行を禁止していないときは、前記問い合わせ部は前記電力制御部を通じて電力供給モードをオフモードに切り替え、
前記デフォルト回答が「オフモードに移行する」であり、前記移行禁止部がオフモードへの移行を禁止しているとき、及び、前記デフォルト回答が「オフモードに移行しない」であるときは、前記問い合わせ部は前記電力制御部を通じて前記オフモード移行指示部に対する操作をキャンセルするとともにオフモードへの切り替えを中止する、画像処理装置。
【請求項２】
メッセージを表示する表示部をさらに備え、
前記問い合わせ部は、前記表示部を通じてオフモードへの移行を実施するか否かをユーザーに問い合わせるとともに、前記表示部にオフモードへ移行した際の制限事項を表示する、請求項１記載の画像処理装置。
【請求項３】
前記移行禁止部は、オフモードへの移行を禁止している場合、前記電力制御部に、オフモードへの切り替え中止に代えて、少なくとも前記特定のオプションの機能の実行を受け付け可能な、オフモードよりも消費電力が多いスリープモードへ電力供給モードを切り替えさせる、請求項１又は請求項２に記載の画像処理装置。
【発明の詳細な説明】
【技術分野】
【０００１】
本発明は、画像処理を実行する各ユニットへの電源供給を遮断する電力供給モードを備える画像処理装置に関する。
【背景技術】
【０００２】
近年、オフィス等において、複数の機能を備える複合機（ＭＦＰ：Multi Function Peripheral）が使用されている。複合機は、ＬＡＮ（Local Area Network）等のネットワークを通じてパーソナルコンピュータ等の情報処理端末と接続された状況で使用されることが多い。
【０００３】
このような複合機では、環境負荷軽減のため、未使用時等に、複合機の全体に電力を供給するモードから、消費電力量を少なくした低消費電力モード（スリープモード）へ、電力供給モードを切り替える機能が広く採用されている。また、近年、欧州ＥｒＰ（Energy-related Products）指令等のさらなる低消費電力化の要求に対応するため、オフモードを採用した機器も登場している。オフモードとは、コンセントプラグが電源コンセントに接続されているが実質的に電源がオフの状態であり、例えば、操作パネル等に設けられた電源キー（電源ボタン）の操作のみが検知可能とされ、複合機の他の構成要素への電源供給が停止された状態である。
【０００４】
このような電力供給モードの切り替えは、例えば、予め指定された時間使用されなかった場合に実施される構成や、予め指定されたスケジュールにしたがって実行される構成が広く採用されている。また、特許文献１では、ユーザーの意志によって入力された情報を用いてスタンバイ状態（低消費電力モード）に移行する機能を有する情報処理装置が開示されている。この構成では、例えば、ユーザーがスタンバイボタンを操作したときに、直ちにスタンバイ状態に移行する。
【先行技術文献】
【特許文献】
【０００５】
【特許文献１】特開平６−２１４６８１号公報
【発明の概要】
【発明が解決しようとする課題】
【０００６】
上述のオフモードでは、例えば、電源キー操作の検知以外は機能していないため、ファクシミリ機能を備える画像処理装置や、コインベンダーを備える画像処理装置では、ファクシミリ受信や入金検知ができなくなる。特許文献１が開示する構成を適用して、電源キーの操作によりオフモードへの移行を可能な構成を採用した場合、上述のような、オフモード移行時の制限事項を認識しており、画像処理装置がオフモードになっても不都合はないと判断しているユーザーが電源キーを操作して画像処理装置をオフモードに移行させるのであれば何ら問題は発生しない。
【０００７】
しかしながら、電源キーは、ユーザーによる操作が前提であるため、操作パネル等のユーザーが操作可能な位置に配置される。そのため、誤操作により電源キーが操作され、画像処理装置が意図せずオフモードに移行する可能性もある。誤操作したユーザーが誤操作を認識し、再度電源キーを操作する等の復旧操作を直ちに実施できればよいが、復旧操作がなされない場合、画像処理装置はオフモードであり続けることになる。この場合、ユーザーが上述の制限事項により不利益を被る可能性がある。
【０００８】
電源キーに誤操作防止のカバー等を設けることで誤操作の可能性を低下させる構成を採用することも考えられる。しかしながら、このような構成を採用した場合であっても、電源キーが操作可能である以上、誤操作によるオフモードへの移行を完全に回避することは困難である。
【０００９】
本発明は、このような従来の実情を鑑みてなされたものであり、比較的簡単な構成により、誤操作された場合でも、ユーザーに不利益な状態になることを避けることができる画像処理装置を提供することを目的とする。
【課題を解決するための手段】
【００１０】
上述の目的を達成するために、本発明は以下の技術的手段を採用している。まず、本発明は、画像処理を実行する各ユニットへの電源供給を遮断するオフモードを備える画像処理装置を前提とする。そして、本発明に係る画像処理装置は、オフモード移行指示部、問い合わせ部、電力制御部、及び移行禁止部を備える。
【００１１】
オフモード移行指示部は、オフモードへの移行のためにユーザーにより操作される。問い合わせ部は、オフモード移行指示部が操作された際に、オフモードへの移行を実施するか否かをユーザーに問い合わせるとともに、オフモードへの移行を実施するか否かの回答が入力されることなく、予め指定された時間が経過した場合に選択されるデフォルト回答が設定される。電力制御部は、画像処理装置の少なくとも１つの機能が実施可能な状態にある待機モードと、待機モードにおいて画像処理装置への指示が入力されない状態が一定時間継続したときに切り替えられ、画像処理装置の一部のみに電力を供給することで待機モードよりも消費電力量を少くした電力供給モードであって、当該電力供給モードから他の電力供給モードへの移行条件を満たすか否を検知可能な状態にある低消費電力モードと、オフモードとを含む電力供給モードを切り替え可能に構成されるとともに、ユーザーから問い合わせ部への回答に基づいて、電力供給モードをオフモードに切り替える。移行禁止部は、画像処理装置に特定のオプションが装着されている場合、電力制御部によるオフモードの移行を禁止する。
【００１２】
以上の画像処理装置において、ユーザーから問い合わせ部に、オフモードへの移行を実施するか否かの回答が入力されることなく、予め指定された時間が経過した場合、デフォルト回答が「オフモードに移行する」であり、移行禁止部がオフモードへの移行を禁止していないときは、問い合わせ部は電力制御部を通じて電力供給モードをオフモードに切り替える。また、デフォルト回答が「オフモードに移行する」であり、移行禁止部がオフモードへの移行を禁止しているとき、及び、デフォルト回答が「オフモードに移行しない」であるときは、問い合わせ部は電力制御部を通じてオフモード移行指示部に対する操作をキャンセルするとともにオフモードへの切り替えを中止する。
【００１３】
この画像処理装置では、電源キー等の操作手段を含むオフモード移行指示部がユーザーにより操作された際に、ユーザーに対してオフモードへの移行を実施するか否かの問い合わせがなされる。そして、当該問い合わせに対して、例えば、ユーザーからオフモードへの移行を実施する旨の指示が入力された場合に、オフモードに移行する。そのため、誤操作等によりユーザーの意図に反して、ファクシミリ受信等が不可能になるオフモードへ移行されることを防止でき、ユーザーに不利益な状態になることを避けることができる。また、仮に、オフモードへの移行を実施するか否かをユーザーに問い合わせた状態で放置された場合であっても、オフモードへの移行、又は、オフモードへの非移行を確定させることができるとともに、ファクシミリボード等のオプションが装着された場合、誤操作等によりユーザーの意図に反して、ファクシミリ受信等が不可能になるオフモードへの移行を防止することができる。
【００１４】
この画像処理装置は、メッセージを表示する表示部をさらに備えることができる。この構成では、問い合わせ部は、表示部を通じてオフモードへの移行を実施するか否かをユーザーに問い合わせるとともに、表示部にオフモードへ移行した際の制限事項を表示することができる。
【００１５】
さらに、以上の画像処理装置において、移行禁止部は、オフモードへの移行を禁止している場合、電力制御部に、オフモードへの切り替え中止に代えて、少なくとも上述の特定のオプションの機能の実行を受け付け可能な、オフモードよりも消費電力が多いスリープモードへ電力供給モードを切り替えさせる構成を採用することができる。
【発明の効果】
【００１６】
本発明によれば、比較的簡単な構成により、誤操作等によりユーザーの意図に反してオフモードへ移行されてユーザーに不利益な状態になることを避けることができる。
【図面の簡単な説明】
【００１７】
【図１】本発明の一実施形態における複合機の全体構成を示す概略構成図
【図２】本発明の一実施形態における複合機の操作パネルを示す模式図
【図３】本発明の一実施形態における複合機のハードウェア構成を示す図
【図４】本発明の一実施形態における複合機を示す機能ブロック図
【図５】本発明の一実施形態における複合機が実施する電力制御手順の一例を示すフロー図
【図６】本発明の一実施形態における複合機が表示する問い合わせ画面の一例を示す図
【発明を実施するための形態】
【００１８】
以下、本発明の一実施形態について、図面を参照しながらより詳細に説明する。以下ではデジタル複合機として本発明を具体化する。本実施形態のデジタル複合機は、画像読取機能、画像形成機能（複写機能及びプリンタ機能）、ファクシミリ送受信機能、ネットワーク送受信機能を含む複数の機能を実行可能に構成されている。各機能は、画像読取部、画像形成部、ＦＡＸインターフェイス、ネットワークインターフェイスの１又は複数により実現されており、画像読取部、画像形成部、ＦＡＸインターフェイス、ネットワークインターフェイスはそれぞれ独立して電力供給が可能な１又は複数のユニットとして構成されている。
【００１９】
また、このデジタル複合機は、１又は複数のユニットに電力が供給され、少なくとも１の機能（画像処理）が実行可能な状態にある待機モードと、操作パネルを通じたユーザーからの指示入力の受付等に必要な最小限の電力を供給することにより待機モードに比べて消費電力量を少なくした低消費電力モード（スリープモード）、全ユニットへの電力供給が遮断され、電源キー等の特定のボタンの押下のみの検知を可能とするオフモードとを含む複数の電力供給モードを切り替え可能に構成されている。
【００２０】
図１は本実施形態におけるデジタル複合機の全体構成の一例を示す概略構成図である。図１に示すように、複合機１００は画像読取部１２０及び画像形成部１４０を含む本体１０１と、本体１０１の上方に取り付けられたプラテンカバー１０２とを備える。複合機１００の前面には操作パネル２００が設けられている。
【００２１】
本体１０１の上部には、画像読取部１２０が設けられている。画像読取部１２０は、走査光学系１２１により原稿の画像を読み取りその画像のデジタルデータ（画像データ）を生成する。
【００２２】
生成された画像データは、画像形成部１４０において用紙に印刷することができる。また、生成された画像データは、図示しないネットワークや公衆通信回線等を通じて他の機器へ送信することもできる。
【００２３】
画像形成部１４０は、画像読取部１２０が生成した画像データや、ネットワークや公衆通信回線に接続された他の機器（図示せず）から受信した画像データを用紙に印刷する。画像形成部１４０は、手差しトレイ１５１、給紙カセット１５２、１５３、１５４等から、トナー像を転写する転写部１５５へ用紙を給紙する。転写部１５５においてトナー像が転写された用紙は排紙トレイ１４９へ排紙される。
【００２４】
図２は複合機が備える操作パネルの外観の一例を示す図である。ユーザーは、操作パネル２００を用いて、複合機１００に複写開始やその他の指示を与えたり、複合機１００の状態や設定を確認したりすることができる。操作パネル２００には、タッチパネル付きディスプレイ２０１や操作キー２０３が配置されている。ディスプレイ２０１は、操作ボタンやメッセージ等を表示する液晶ディスプレイ等からなる表示面と、当該表示面上の押圧位置を検出するセンサーとを備える。押圧位置の検知方法は特に限定されない。抵抗膜方式、静電容量方式、表面弾性波方式、電磁波方式等、任意の方式を採用することができる。ユーザーは、自身の指等を使用して、ディスプレイ２０１を通じて入力を行うことができる。また、操作キー２０３は、電源キー２０５を含む。電源キー２０５は、電源のＯＮ、ＯＦＦの切り替え（オフモードへの移行、及びオフモードからの復帰）に使用される。
【００２５】
図３は、複合機における制御系のハードウェア構成図である。本実施形態の複合機１００は、ＣＰＵ（Central Processing Unit）３０１、ＲＡＭ（Random Access Memory）３０２、ＲＯＭ（Read Only Memory）３０３、ＨＤＤ（Hard Disk Drive）３０４及び画像読取部１２０、画像形成部１４０における各駆動部に対応するドライバー３０５が内部バス３０６を介して接続されている。ＲＯＭ３０３やＨＤＤ３０４等はプログラムを格納しており、ＣＰＵ３０１はその制御プログラムの指令にしたがって複合機１００を制御する。例えば、ＣＰＵ３０１はＲＡＭ３０２を作業領域として利用し、ドライバー３０５とデータや命令を授受することにより上記各駆動部の動作を制御する。また、ＨＤＤ３０４は、画像読取部１２０により得られた画像データや、他の機器からネットワークを通じて受信した画像データの蓄積にも用いられる。
【００２６】
内部バス３０６には、操作パネル２００や各種のセンサー３０７も接続されている。操作パネル２００は、ユーザーの操作を受け付け、その操作に基づく信号をＣＰＵ３０１に供給する。また、ディスプレイ２０１は、ＣＰＵ３０１からの制御信号にしたがって上述の操作画面を表示する。また、センサー３０７は、プラテンカバー１０２の開閉検知センサーや原稿台上の原稿検知センサー、定着器の温度センサー、搬送される用紙又は原稿の検知センサーなど各種のセンサーを含む。特に、本実施形態では、オプション機器の有無を検知するセンサーが配置されている。
【００２７】
ＣＰＵ３０１は、例えばＲＯＭ３０３に格納されたプログラムを実行することで、以下の各手段（機能ブロック）を実現するとともに、これらセンサーからの信号に応じて各手段の動作を制御する。
【００２８】
図４は、本実施形態の複合機の機能ブロック図である。図４に示すように、本実施形態の複合機１００は、オフモード移行指示部４０１、問い合わせ部４０２、及び電力制御部４０３を備える。
【００２９】
オフモード移行指示部４０１は、オフモードへの移行のためにユーザーにより操作される。本実施形態では、オフモード移行指示部４０１は、操作パネル２００の電源キー２０５と、電源キー２０５に対する操作を検知するオフモード移行指示検知部４１１により構成されている。オフモード移行指示部４０１は、電源キー２０５を押下に応じて、電力制御部４０３にオフモード移行指示を入力する。
【００３０】
問い合わせ部４０２は、オフモード移行指示部４０１が操作された際に、オフモードへの移行を実施するか否かをユーザーに問い合わせる。問い合わせ部４０２は、例えば、操作パネル２００が備えるディスプレイ２０１（表示部）に選択ボタンを表示し、オフモードへの移行を実施するか否かの選択をユーザーに要求する。
【００３１】
特に限定されないが、本実施形態では、問い合わせ部４０２に回答制限時間及びデフォルト回答が予め設定されている。問い合わせ部４０２は、オフモードへの移行を実施するか否かの選択をユーザーに要求した後、オフモードへの移行を実施するか否かの回答が入力されることなく回答制限時間が経過した場合、デフォルト回答が選択されたと判断する。なお、デフォルト回答は、「オフモードに移行する」、「オフモードに移行しない」のいずれかが設定される。
【００３２】
電力制御部４０３は、ユーザーから問い合わせ部４０３への回答に基づいて、電力供給モードをオフモードに切り替える。特に限定されないが、本実施形態では、電力制御部４０３は、上述の待機モード、低消費電力モード及びオフモードを含む複数の電力供給モードを切り替える。
【００３３】
待機モードには、複合機１００が実行可能な各機能（画像読取機能、画像形成機能、ファクシミリ送受信機能、ネットワーク送受信機能等）中の１の機能のみが直ちに実行できる状態にあるモードの他、一部の複数の機能のみが直ちに実行できる状態にあるモード（例えば、定着器等電力消費の大きい機器への電源供給が停止され、画像形成機能は直ちに実行できないモード）や全機能が直ちに実行できる状態にあるモードが含まれる。
【００３４】
また、低消費電力モードでは、複合機１００の一部のみに電力を供給することで、低消費電力モードから他の電力供給モードへの移行条件を満たすか否かを検知することができる状態に複合機１００は維持される。例えば、移行条件を満たすか否かの検知に無関係なセンサー（例えば、プラテンカバー開閉検知センサーや原稿検知センサー等）、ＲＡＭ２０２、ＨＤＤ２０４、各ユニット（画像読取部１２０、画像形成部１４０）等への電力供給が停止される。また、ＣＰＵ２０１に対しても、上記検知に必要な最小限の電力のみが供給される。
【００３５】
さらに、オフモードでは、複合機１００は、特定のボタン（ここでは、操作パネル２００の電源キー２０５）の押下のみを検知することができる状態に維持され、当該検知に関与しない部分への電力供給が遮断される。この場合、ＣＰＵ２０１に対しても、当該検知に必要な最小限の電力のみが供給される。
【００３６】
本実施形態では、例えば、複合機１００が待機モードにある場合、複合機１００への指示が入力されない状態が予め指定された一定時間継続すると、電力制御部４０３は待機モードから低消費電力モードへ電力供給モードを切り替える。また、複合機１００が低消費電力モードにある場合、操作パネル２００を通じてユーザーによる指示の入力があると、電力制御部４０３は、ユーザーの指示内容に応じて低消費電力モードから待機モードへ電力供給モードを切り替える。さらに、複合機１００が、待機モード又は低消費電力モードにある場合、電源キー２０５の押下があると、電力制御部４０３は電力供給モードをオフモードへ切り替える。
【００３７】
また、複合機１００は、移行禁止部４０４をさらに備える。移行禁止部４０４は、複合機１００に特定のオプションが装着されている場合、電力制御部４０３によるオフモードの移行を禁止する。特定のオプションとは、信号やデータの入力を常時待機しておく必要のある機能を実現するユニットである。例えば、ファクシミリの受信を常時待機する必要のあるファクシミリボードや、貨幣の入金を常時待機する必要のあるコインベンダー等が特定のオプションに該当する。上述のように、本実施形態では、オプション機器の装着位置にオプション機器の有無を検知するセンサーが配置されており、当該センサーの検知状態によりオプション機器の有無を検知する構成になっている。
【００３８】
図５は、複合機１００が実行する電力制御手順の一例を示すフロー図である。当該手順は、ユーザーによりオフモードへの移行指示（ここでは、電源キー２０５の押下）があったことをトリガーとして開始する。
【００３９】
ユーザーによる電源キー２０５の押下を検知したオフモード移行指示検知部４１１からオフモード移行指示が入力された電力制御部４０３は、問い合わせ部４０２にその旨を通知する。当該通知に応じて、問い合わせ部４０２は、ユーザーに対してオフモードへの移行を実施するか否かを問い合わせる問い合わせ画面を操作パネル２００のディスプレイ２０１に表示する。
【００４０】
図６は、問い合わせ部４０２が操作パネル２００のディスプレイ２０１に表示する問い合わせ画面の一例を示す図である。この例では、問い合わせ画面６０１は、メッセージ表示欄６０２、「移行する」ボタン６０３、「移行しない」ボタン６０４を備える。
【００４１】
メッセージ表示欄６０２には、ユーザーへの問い合わせ事項である「オフモードへ移行しますか？」のメッセージが表示されている。また、この例では、特に、ユーザーへの注意を促すため、メッセージ表示欄６０２に、オフモードへ移行した際の制限事項である「オフモードへ移行すると全ての機能が使用できなくなります。」という警告文が併記されている。「移行する」ボタン６０３は、オフモードへの移行を実行するために使用される。「移行しない」ボタン６０４は、オフモードへの移行を中止する（電源キー２０５の押下をキャンセルする）ために使用される。
【００４２】
問い合わせ画面６０１は、ユーザーが、「移行する」ボタン６０３、「移行しない」ボタン６０４のいずれかを選択するまで、あるいは、問い合わせ部４０２に予め指定された回答制限時間が経過するまでは、ディスプレイ２０１に表示され続ける（ステップＳ５０２Ｎｏ、Ｓ５０３Ｎｏ）。
【００４３】
ユーザーが「移行する」ボタン６０３を選択すると、問い合わせ部４０２は、電力制御部４０３にその旨を通知する（ステップＳ５０２Ｙｅｓ、Ｓ５０５Ｙｅｓ）。当該通知に応じて、電力制御部４０３は、オフモードへの移行を実行してよいか否かを移行禁止部４０４に問い合わせる。当該問い合わせに応じて、移行禁止部４０４は、オプション機器検知部４１２に、複合機１００に装着されているオプション機器を問い合わせる。このとき、オプション機器検知部４１２は、オプション機器の有無を検知するセンサーの検知状態に基づいて装着されているオプション機器を特定し、特定したオプション機器を移行禁止部４０４へ通知する（ステップＳ５０６）。
【００４４】
このとき移行禁止部４０４は、オプション機器検知部４１２から通知されたオプション機器に、上述の特定のオプションが含まれているか否かを確認する（ステップＳ５０７）。なお、特定のオプションは、移行禁止部４０４に予め登録されている。
【００４５】
オプション機器検知部４１２から通知されたオプション機器に、上述の特定のオプション機能を実現するオプション機器が含まれていない場合、移行禁止部４０４はその旨を電力制御部４０３に通知する。当該通知に応じて、電力制御部４０３は、電力供給モードをオフモードに切り替える（ステップＳ５０７Ｎｏ、Ｓ５０８）。また、オプション機器検知部４１２から通知されたオプション機器に、上述の特定のオプション機能を実現するオプション機器が含まれている場合、移行禁止部４０４は電力制御部４０３にオフモードへの移行不可を通知する。当該通知に応じて、電力制御部４０３は、電源キー２０５の押下をキャンセルするとともに、オフモードへの移行を中止する（ステップＳ５０７Ｙｅｓ）。この場合、電力制御部４０３は、操作パネル２００のディスプレイ２０１に、例えば、「ファクシミリ受信ができなくなるためオフモードに移行できません」等のメッセージを表示することが好ましい。
【００４６】
また、問い合わせ画面６０１において、ユーザーが「移行しない」ボタン６０４を選択すると、問い合わせ部４０２は、電力制御部４０３にその旨を通知する（ステップＳ５０２Ｙｅｓ）。当該通知に応じて、電力制御部４０３は、電源キー２０５の押下をキャンセルするとともに、オフモードへの移行を中止する（ステップＳ５０５Ｎｏ）。
【００４７】
一方、問い合わせ画面が表示された状態で問い合わせ部４０２に予め指定された時間が経過すると、問い合わせ部４０２は、上述のデフォルト回答が選択されたと判断する（ステップＳ５０２Ｎｏ、Ｓ５０３Ｙｅｓ、Ｓ５０４）。
【００４８】
予め問い合わせ部４０２に登録されているデフォルト回答が「オフモードに移行する」である場合、問い合わせ部４０２は、電力制御部４０３にその旨を通知する（ステップＳ５０５Ｙｅｓ）。当該通知に応じて、電力制御部４０３は、上述の「移行する」ボタン６０３が選択された場合と同様の処理を実行する（ステップＳ５０６、Ｓ５０７Ｎｏ、Ｓ５０８、又はステップＳ５０６、Ｓ５０７Ｙｅｓ）。
【００４９】
また、予め問い合わせ部４０２に登録されているデフォルト回答が「オフモードに移行しない」である場合、問い合わせ部４０２は、電力制御部４０３にその旨を通知する。当該通知に応じて、電力制御部４０３は、電源キー２０５の押下をキャンセルするとともに、オフモードへの移行を中止する（ステップＳ５０５Ｎｏ）。
【００５０】
なお、上述の例では、複合機１００に特定のオプション機能を実現するオプション機器が装着されている場合、移行禁止部４０４が電力制御部４０３にオフモードへの移行不可を通知し、オフモードへの移行を中止させる構成を例示したが、他の構成を採用することも可能である。例えば、電力制御部４０３が問い合わせ部４０２を通じて、再度、オフモードへの移行を実施するか否かをユーザーに問い合わせ、オフモードへの移行指示があった場合には、オフモードへ移行する構成であってもよい。あるいは、移行禁止部４０４は、オフモードへの移行中止に代えて、少なくとも上述の特定のオプションの機能の実行を受け付け可能な、オフモードよりも消費電力が多いスリープモードへ電力供給モードを移行させる構成を採用することもできる。この場合、電力制御部４０３は、操作パネル２００のディスプレイ２０１に、例えば、「ファクシミリ受信ができなくなるためオフモードに移行できません。スリープモードに移行します。」等のメッセージを表示することが好ましい。
【００５１】
また、上記では、問い合わせ画面６０１に「移行する」ボタン６０３及び「移行しない」ボタン６０４の両方を表示したが、一方のボタン（例えば、「移行する」ボタン）のみを表示し、回答制限時間内に当該ボタンが選択されなかった場合に他方（例えば、「移行しない」）が選択されたと認識する構成であってもよい。
【００５２】
以上説明したように、この複合機１００では、電源キー２０５の押下等により、ユーザーからオフモードへの移行指示が入力された際に、ユーザーに対してオフモードへの移行を実施するか否かの問い合わせがなされる。そして、当該問い合わせに対してユーザーからオフモードへの移行を実施する旨の指示が入力された場合に、オフモードに移行する。そのため、誤操作等によりユーザーの意図に反して、ファクシミリ受信等が不可能になるオフモードへ移行されることを防止でき、ユーザーに不利益な状態になることを避けることができる。
【００５３】
また、複合機１００では、回答制限時間及びデフォルト回答が設定されているため、オフモードへの移行を実施するか否かをユーザーに問い合わせた状態で放置された場合であっても、オフモードへの移行、又はオフモードの非移行を確定させることができる。また、回答制限時間経過時の動作も、デフォルト回答として、ユーザーの意志に基づいて設定することができる。
【００５４】
さらに、複合機１００では、ファクシミリボード等、信号やデータの入力を常時待機しておく必要のある機能を実現する特定のオプションが装着されている場合、オフモードへの移行が制限される。そのため、誤操作等によりユーザーの意図に反して、ファクシミリ受信等が不可能になるオフモードへの移行を防止することができる。
【００５５】
なお、上述した実施形態は本発明の技術的範囲を制限するものではなく、既に記載したもの以外でも、本発明の範囲内で種々の変形や応用が可能である。例えば、上記実施形態では、特に好ましい形態として、移行禁止部４０４を備える構成を例示したが、移行禁止部４０４は選択的な構成要素であり、本発明に必須の構成要素ではない。移行禁止部４０４を備えない構成であっても、誤操作等によりユーザーの意図に反してオフモードへ移行されてユーザーに不利益な状態になることを避けることができる。同様に、問い合わせ画面６０１に制限事項を表示する構成も選択的な構成であり、問い合わせを表示部（ディスプレイ２０１）を通じて実施することも必須ではない。ユーザーへの問い合わせは、音声等、ユーザーが認識可能な手法であれば任意の手法を採用することができる。
【００５６】
また、図５に示したフローチャートは、等価な作用を奏する範囲において、各ステップの順序を適宜変更可能である。例えば、図５では、オフモードへの移行指示があった場合に特定オプション装着の有無を確認する構成としたが、当該確認は、それ以前の任意のタイミングで実施してもよい。
【００５７】
加えて、上述の実施形態では、デジタル複合機により本発明を具体化したが、デジタル複合機に限らず、スキャナ、プリンタ、複写機等の任意の画像処理装置に本発明を適用することも可能である。
【産業上の利用可能性】
【００５８】
本発明によれば、比較的簡単な構成により、誤操作等によりユーザーの意図に反してオフモードへ移行されてユーザーに不利益な状態になることを避けることができ、画像処理装置として有用である。
【符号の説明】
【００５９】
１００  複合機（画像処理装置）
２００  操作パネル
２０１  ディスプレイ（表示部）
２０５  電源キー
４０１  オフモード移行指示部
４０２  問い合わせ部
４０３  電力制御部
４０４  移行禁止部
【図１】
0006314805.tif 000002
【図２】
0006314805.tif 000003
【図３】
0006314805.tif 000004
【図４】
0006314805.tif 000005
【図５】
0006314805.tif 000006
【図６】
0006314805.tif 000007